(57)【要約】 【課題】  竿間に歯付ベルトのような刻み目付竿帯の竿保持体を備え、該刻み目付竿帯の一方端を竿内の筒体に螺旋状に巻き付けて保持する竿移動保持装置を備える水平遮蔽羽ブラインドにおいて、刻み目付竿帯の巻き込み、巻き戻しが円滑になされ、竿の移動操作が軽快に出来る簡明な竿移動保持装置を得る。【解決手段】  一方の竿側に一組の軸移動回転軸受に軸方向移動自在、且つ、回転自在に支持されその一部に竿操作手段が回転連結された一本の水平な筒体を設け、該筒体に他方の竿側に結合された全ての刻み目付竿帯の一方端を同一方向に螺旋状に巻き付けて保持せしめ、構造を簡明にして刻み目付竿帯の側方力の低減を図った。【選択図】        図２
2006009536.tif 000002
【特許請求の範囲】
【請求項１】
一方の竿内に一組の軸移動回転軸受により軸方向移動自在、且つ、回転自在に支持されその一部に竿操作手段が回転連結された水平な一本の筒体を設け、該筒体にブラインド面内の全ての刻み目付竿帯の一方端側を同一方向に螺旋状に巻き付けて保持せしめ、前記刻み目付竿帯の他方側を他方側の竿に保持結合せしめ前記竿操作手段の回転操作により両者間の相対移動と保持を行うことを特徴とする水平遮蔽羽ブラインドの竿移動保持装置。
【請求項２】
各刻み目付竿帯と同じ幅を有しその一方端側を筒体の外周に前記各刻み目付竿帯と逆巻きに、且つ、前記各刻み目付竿帯と反対方向へ螺旋状に巻き付けられその他端側を前記筒体の表側より下に垂下された操作帯と、その戻り止め手段を有する竿操作手段を備えることを特徴とする請求項１記載の水平遮蔽羽ブラインドの竿移動保持装置。
【請求項３】
筒体の一部に大径の操作筒部を設け、該操作筒部の外周に各刻み目付竿帯と同じ幅を有しその一方端側を前記各刻み目付竿帯と逆巻きに、且つ、前記各刻み目付竿帯と反対方向へ螺旋状に巻き付けられその他端側を前記操作筒体の表側より下に垂下された操作帯を備えることを特徴とする請求項２記載の水平遮蔽羽ブラインドの竿移動保持装置。
【請求項４】
筒体上の任意の一個所に刻み目付竿帯の巻付けピッチに合致したピッチで且つ前記刻み目付竿帯と同一方向の螺旋状溝の送りオネジ部と、竿側に固定され前記送りオネジ部に嵌まる筒送りナットからなる前記筒体の送りネジ部を設け、前記刻み目付竿帯の巻き込み、巻き戻し時に前記送りネジ部により前記筒体の軸方向移動送りを行うことを特徴とする請求項１記載の水平遮蔽羽ブラインドの竿移動保持装置。
【請求項５】
筒体下部の操作帯内側の空間内で案内手段に案内されて前後に運動しその前面側に掛り歯面を有する止め片と、前記操作帯の外側の竿側に形成された縦の平坦な背案内面を有し他方側の竿重量により前記止め片と前記背案内面の間で前記操作帯をロックする戻り止め手段を備えることを特徴とする請求項２記載の水平遮蔽羽ブラインドの竿移動保持装置。
【発明の詳細な説明】
【技術分野】
【０００１】
本発明は、水平遮蔽羽ブラインドの移動竿の竿移動保持装置に関する。特に、上部竿と移動竿間に歯付ベルトのような刻み目付竿帯の竿保持体を備え、その一方の端側を、一方の竿内の水平軸線上で軸方向に移動しながら回転する筒体に螺旋状に巻き付けられて保持され、他方の端側に他方の竿を保持ないし結合し、該刻み目付竿帯の巻き込みと巻き出しにより両竿間の相対移動と保持がなされる竿移動保持装置の改良に関する。
【背景技術】
【０００２】
従来、水平遮蔽羽ブラインドの移動竿は、上部の固定竿内に設けた竿移動装置より垂下された昇降紐や、薄い金属性テープにより上下の調節と保持が行われるものが一般に広く普及している。
【０００３】
本願と同一出願人の先の出願、特願２００３−３１４１４８号は、竿保持体及び操作帯として歯付ベルトのような刻み目付帯体を用いたもので、各々２種類の竿移動保持装置と竿操作手段が開示されている。ここで、竿移動保持装置として、竿内の水平軸線上で横に移動しながら回転することの出来る筒体に、刻み目付竿帯の上方端側を螺旋状に巻き付けて保持するものが開示されている。帯体が寸法精度が高く、引張りと圧縮に強く、折れ難い歯付ベルトのようなもので造られるから、竿の正確で安定した平行保持がなされる。
帯体が正確な幅と一定の厚みを有しており、且つ柔軟性を有するので細い筒体への螺旋状巻きが可能で細い竿寸法を可能にしている。
【特許文献１】特願２００３−３１４１４８号明細書。
【特許文献２】特願２００４−１６０３６４号明細書。
【発明の開示】
【発明が解決しようとする課題】
【０００４】
特願２００３−３１４１４８号等に示される前述の刻み目付竿帯を筒体に螺旋状に巻き付けて保持する竿移動保持装置は、複数の刻み目付竿帯に対応する個々の筒体が、竿内に回転自由に支持された水平軸上に軸方向移動自在に、且つ、軸と同時回転するように回転連結状態に保持されている。竿の移動操作や竿保持中における操作手段との回転力の伝達は、軸断面が四角の水平軸を介して行われる実施例が示されている。軸を介して筒体に回転力を伝達する場合、その軸方向の移動抵抗は、竿重量によるラジアル荷重に基づく筒体と軸との間の摩擦抵抗に加え、筒体を回す、あるいは保持するための回転力（トルク）による筒体と軸との間の摩擦抵抗が加わり、円滑な巻き込み、巻き戻し上好ましくない影響を与える。特に、ボールスプライン等の軽快な軸方向移動手段を用いずに、比較的細い軸上での軽快な巻き込み、巻き戻しには、刻み目付竿帯の側面とケースの側案内面間の面圧力を軽減することが特に望まれる。又、竿帯の巻付け部においては、筒体が正規の中心位置を保って振れることなく円滑に回転することが重要である。そして、装置が充分簡明で堅牢性や耐久性等に優れていることも重要である。
本発明の目的は、前述のような点に鑑み、巻き込み、巻き戻しが無理なく円滑になされ、竿の操作が軽快に出来る刻み目付竿帯を筒体に螺旋状に巻き付けて保持する竿移動保持装置を提供するにある。
本発明の他の目的は、構成簡明にして製作容易な水平遮蔽羽ブラインドの竿移動保持装置を提供しようとするものである。
【課題を解決するための手段】
【０００５】
上記目的を達成するために、本発明は、竿内に一組の軸移動回転軸受により軸方向移動自在、且つ、回転自在に支持されその一部に竿操作手段が回転連結された水平な一本の筒体を設け、該筒体にブラインド面内の全ての刻み目付竿帯の一方端側を同一方向に螺旋状に巻き付けて保持せしめ、刻み目付竿帯の他方側を他方側の竿に保持ないし結合せしめ両者間の相対移動と保持を行うようにした竿移動保持装置にある。ここに、回転連結とは竿操作手段が直に結合されていることを含め、任意の伝導手段により両者の回転が伝達される状態に連結されていることを云う。
【０００６】
上記竿操作手段は、各刻み目付竿帯と同じ幅を有しその一方端側を筒体の外周に各刻み目付竿帯と逆巻きに、且つ、各刻み目付竿帯と反対方向へ螺旋状に巻き付けられ、その他端側を筒体の表側より下に垂下された操作帯と、その戻り止め手段を備えるものにすることが出来る。
【０００７】
又、上記竿操作手段は、筒体の一部に大径の操作筒部を設け、該操作筒部の外周に各刻み目付竿帯と同じ幅を有しその一方端側を各刻み目付竿帯と逆巻きに、且つ、各刻み目付竿帯と反対方向へ螺旋状に巻き付けられ、その他端側を筒体の表側より下に垂下された操作帯と、その戻り止め手段を備えるものにすることも出来る。
【０００８】
又、上記戻り止め手段は、筒体下部の操作帯内側の空間内で案内手段に案内されて前後に運動しその前面側に掛り歯面を有する止め片と、操作帯の外側の竿側に形成された縦の平坦な背案内面を有し他方側の竿重量により止め片と背案内面の間で操作帯をロックするものとすることが出来る。
【０００９】
さらに、上記筒体上の任意の一個所に刻み目付竿帯の巻付けピッチに合致したピッチで、且つ、刻み目付竿帯と同一方向の螺旋状溝の送りオネジ部を設け、竿側に固定され送りオネジ部に嵌まる筒送りナットからなる筒体の送りネジ部を形成し、該送りネジ部により刻み目付竿帯の巻き込み、巻き戻し時の筒体の軸方向移動送りを行うようにすることも出来る。
【発明の効果】
【００１０】
本発明によれば、一本の充分太い筒体が竿帯の巻付け部位近くを円筒形の軸移動回転軸受で支持され、ブラインド面内の全ての刻み目付竿帯の一方端側がこの一本の筒体に同一方向に螺旋状に巻き付けて保持されるので、軸方向、回転方向ともに動きが正確で滑らかである。巻き込み、巻き戻しの際、筒体には各竿帯より同一方向の側方移動力がもたらされ、各竿帯への側方力の平均化が図られる。そして、巻き込み、巻き戻しの際に、筒体とその軸移動回転軸受との間に生じる摩擦抵抗力以外には、ケースの側案内面と刻み目付竿帯（操作帯）の側面との間にさらなる側方力を生起させるものがない。従って、ケースの側案内面への側方力は最小限に抑えられる。さらに、同じ筒体に同じ幅の操作帯を刻み目付竿帯と逆巻きに、且つ、刻み目付竿帯と反対方向へ螺旋状に巻き付けた竿操作手段を設けることにより、筒体には操作帯による竿帯と同一方向の側方移動力が加わるので、各側案内面の分担する側方力の低減と平均化が図られる。又、全ての竿帯を一本の筒体に同じように巻付けて保持せしめるので、筒体の中心部を駆動軸により回転せしめる場合でも、筒体上の任意の一個所に竿帯の巻付けピッチに合致した送りネジ部を設け、竿帯の巻き込み、巻き戻し時の筒体の軸方向移動を該送りネジ部により行うようにすれば、構造全体を複雑化させることなく、全ての竿帯に側方力を生じさせないようにすることが可能になる。このように本発明は竿帯の巻き込み、巻き戻しが円滑になされ、竿の移動操作が軽快に出来る水平遮蔽羽ブラインドの竿移動保持装置を提供する。又、構成簡明にして製作容易な水平遮蔽羽ブラインドの竿移動保持装置を提供することが出来る。
【発明を実施するための最良の形態】
【００１１】
竿の移動操作を円滑且つ軽快にする目的を、竿側に固定された一組の軸移動回転軸受に軸方向移動自在、且つ、回転自在に支持されその一部に竿操作手段が回転連結された他一本の水平な筒体を設け、該筒体に相手側の竿に結合された全ての竿帯の一方端を同一方向に螺旋状に巻き付けて保持せしめたことにより達成された。
【実施例１】
【００１２】
図１〜６に示される水平遮蔽羽のブラインドは、窓の上部に固定された上部竿１の下に、移動竿２が上部竿１から垂下されている２本の竿帯３により所望の間隔で保持されている。上部竿１からは移動竿２に羽操作手段の各保持リング３３から羽保持紐４が垂下されており、該羽保持紐４に水平遮蔽羽５が保持され遮蔽調節面Ａが形成されている。竿帯３は水平遮蔽羽５の帯孔を通って移動竿に至っている。上部竿１内の竿帯３の巻付け部位に固定された左右のケース７に軸移動回転軸受８が設けてあり、該軸移動回転軸受８に一本の水平な筒体１０が軸方向移動自在、且つ、回転自在に支持されている。軸移動回転軸受の位置は特に限定されないが、筒体の中心のズレと回転振れを少なくするために、なるべくは竿帯の巻付け部位の近くが望ましい。筒体１０上には戻り止め手段を含む竿操作手段１１が設けてある。水平遮蔽羽５の帯孔を貫通する２本の竿帯３は歯付ベルトで、その刻み目はブラインドの表方を向いている。その下端側は移動竿２に各々結合されており、その上方側は各々筒体１０の対応する位置に巻き掛けられている。ここで、各竿帯３は筒体１０の右方から左方へ右巻きに螺旋状に巻かれて筒体の裏側より移動竿２へ垂下されており、移動竿２を平行に保持している。竿操作手段１１の操作により筒体１０が回転することにより、各竿帯３は螺旋状に巻き込まれたり、巻き戻されたりして移動竿２を上下に移動させる。各竿帯３が巻き込まれる時、筒体は右方へ移動し、巻き戻される時、筒体は左方へ移動する。このようにこの竿移動保持装置６が構成されている。
図３、図６に竿帯３の端を筒体へ結合する結合手段部分が示されている。ここで、筒体１０の竿帯巻付けの前方側（右方側）の外周に、竿帯３の刻み目に合致した刻み目で、竿帯３の巻付けリード角に合致した傾き角度のハスバ歯の刻み目１２が形成されている。ここでは、筒体１０の対応する部分に形成された輪状の窪み部分に、２分割された帯固定輪１３が、各々窪み部分に埋め込まれた二つの廻り止めキー１５を抱くようにして固定に嵌まっている。該帯固定輪１３は、その外周に前記同様のハスバ歯を有する歯車で、歯は筒体の外周より歯丈の高さ分だけ突出しており、その外径は筒体の外径より周りの歯丈の高さ分だけ大きくなっている。竿帯３の先端部１４は、該帯固定輪１３の外周の歯部に噛み合わされて、巻付けの後方側（左方側）の外周へ滑らかに巻き付けられている。この竿帯の先端部１４の噛合わせ部分の外周には、該先端部１４を帯固定輪１３の周りに確りと固定する固定リング１８が嵌められている。この結合手段のハスバ歯の刻み目１２は、ここに示す例以外に、既存の技術により筒体の同じ部分に自由に形成することが出来る。金属板に成型加工したものを埋め込むとか、筒体の外周の一部を隆起させて形成する等任意である。
竿帯３の巻付け位置に竿側に固定された左右のケース７には、筒体１０を支持する軸移動回転軸受８のほかに、竿帯３の側面を案内する両側の側案内面１７と、竿帯の後面を案内する背案内面１６が設けてある。ここで、側案内面１７と背案内面１６は竿帯３の側面と背面を案内して竿帯３が螺旋状にきっちりと巻き込まれ、あるいは、巻き戻されるのを助ける。左右の竿帯３は、共に同じ方向の螺旋状に巻かれており、筒体１０を軸方向に移動させる移動力は同じ方向に生じ、各々の側案内面１７に配分されて負担される。従って、竿帯の数が増えれば、それだけ各側案内面の負担する力は軽減される。
右側の竿帯３の巻付け部の内側に竿操作手段１１が設けられている。筒体１０には一本の操作帯１９が筒体１０の左方から右方へ左巻きに螺旋状に巻かれており、操作ケース７′部分で筒体の表側より下へ垂下されている。該操作帯１９は、竿帯３と同じ刻み目を有する同じ幅の歯付ベルトである。そして、竿帯３と同じようにしてその先端部が筒体１０の外周に結合され、その巻付けの後方側（右方側）の外周へ滑らかに巻き付けられている。操作帯１９の先端部と筒体側の刻み目１２′との噛合わせ部分の外周には、竿帯３と同様の固定リング１８′が嵌められて確りと固定されている。筒体１０の表側より長く垂下される操作帯の下端部２０は、移動竿２の裏側に結合されている。
操作帯１９の巻付け部位に固定される操作ケース７′は両側の側案内面１７′と背案内面１６′を有し、操作帯１９も竿帯３と同じようにして案内される。そして、筒体１０には操作帯１９の巻き込み、巻き戻し時に各竿帯３と同一方向の側方移動力を生ずる。従って、各側案内面の負担する側方力はその分だけ軽減され、平均化される。
図で明らかなように、移動竿２が降下して竿帯３が一杯に巻き戻されている時、操作帯１９は一杯に巻き込まれている。そして、竿帯３が一杯に巻き込まれて移動竿２が一杯に上昇する時、操作帯１９は一杯に巻き戻される。
操作ケース７′の操作帯１９の内側で、筒体１０の下部と竿の底壁間に形成された空間に戻り止め手段２０の止め片２１が設けてある。両側の側案内面１７′に筒体の外周曲面に略倣って前後方向にキー溝状の案内溝２２が設けてある。止め片２１は操作帯１９と略同じ幅を有し、その両側面に案内溝２２に嵌まるキー状の案内突部２３を備えている。そこで、止め片２１は、案内溝２２に案内されて、背案内面１６′と後止面２４の間を筒体１０の外周曲面に沿って前後に揺動運動することが出来る。止め片２１はその上部が筒体１０の外周に沿った曲面をなし、その下部は平坦な面に造られ、その前面部には操作帯１９の刻み目に噛合う掛り歯面２５を有している。背案内面１６′は、ここでは前方へ傾斜して下った平坦な面になっている。止め片２１の前後運動を案内する案内手段は、この他の任意の手段によることが出来る。
図５に示すように、操作帯１９を傾け角度Ａ°より大きく表方へ傾けて下へ引くことにより、止め片２１は仮想線で示されるように後止面２４まで後退し、操作帯１９の刻み目からその掛り歯面２５が外れて、自らの重量でその位置に止まる。そこで、この傾き角度を保って操作帯１９を引き、あるいは戻しすることで移動竿２を上下に移動させることが出来る。そして、操作帯１９を傾け角度Ａ°より内側にして竿重量による引き力について上へ戻せば、操作帯１９は、その内側の刻み目が止め片２１の掛り歯面２５に噛合って止め片２１を上方へ引き上げ、該止め片２１と背案内面１６′との間に自ら挟まれてロックされる。ここに示す竿操作手段１１は、操作帯１９のみで全ての操作が行える最も簡明な竿操作手段である。
【実施例２】
【００１３】
図７は他の実施例である。以後の実施例の説明において、前述の例と同一部分には同一の符号にａ、ｂ、ｃの添字を付して示し、その詳しい説明を省略して主に異なる部分について説明する。ここで前述の実施例と異なる部分は、竿操作手段１１ａの操作帯１９ａの巻かれる操作筒体１０′ａ部分の直径が各竿帯３ａの巻かれる筒体１０ａ部分の直径より太くなっていることである。このようにすることで、操作帯１９ａを操作する力を軽減することが出来る。又、移動竿を引上げた時の操作帯１９ａの垂下長さを適当に長く調節出来ることである。
【実施例３】
【００１４】
図８〜１０は他の実施例である。上部竿１ｂ内の竿帯３ｂの巻付け部位に固定された左右のケース７ｂに軸移動回転軸受８ｂが設けられており、一本の筒体１０ｂは該軸移動回転軸受８ｂに軸方向移動自在、且つ、回転自在に支持されている。ここで、各竿帯３ｂの刻み目はブラインドの裏方側を向いており、筒体１０ｂの右方から左方へ左巻きに螺旋状に巻かれて筒体の表側より移動竿２ｂへ垂下されている。
筒体１０ｂの右側の上部竿１ｂ内に戻り止め手段を含む竿操作手段１１ｂが設けてある。
該竿操作手段１１ｂはその操作歯車２６が上部竿の表側の面に筒体１０ｂに対して直角の向きに取付けられている。上部竿１ｂの右端部に固定された操作ケース７′ｂに伝導軸９と直角方向に円筒形の支軸２７を備える操作歯車２６が回転自由に嵌まっている。該操作歯車２６には支軸２７の後ろ側に小傘歯車２８が一体に形成されている。操作ケース７′ｂの右側の端部にはそのボス部２９を回転自由に支持される大傘歯車３０が嵌まっており、小傘歯車２８と噛合わされている。大傘歯車３０と筒体１０ｂは四角形軸断面の伝導軸９により回転が連結されている。即ち、筒体１０ｂの右側中心部に伝導軸９に嵌まる四角形の従動角孔３２が設けてある。一方、大傘歯車３０の中心部にも同じ四角形の駆動角孔３１が設けられている。伝導軸９はその右側を大傘歯車３０の駆動角孔３１側に保持されて、その左側が筒体の従動角孔３２内に軸方向に滑動自在に挿入されている。そこで、大傘歯車３０の回転は伝導軸９を介して軸方向に移動する筒体１０ｂに伝達される。伝導軸９に嵌まるブッシュ３４は操作ケース７′ｂ内で伝導軸９を回転自由に支持する。
そこで、操作帯１９ｂの引き側３５を矢印３６のように下方に引くと、止め片２１ｂは操作帯１９ｂより外れて後退し、操作歯車２６と小傘歯車２８は矢印の方向に回転して大傘歯車３０と伝導軸９を矢印の方向に回す。筒体１０ｃは伝導軸９と共に回り竿帯３ｂを矢印３７のように巻き上げてその下部に結合された移動竿を上昇せしめる。操作帯の弛み側３８を矢印３９のように下方に引き、引き側３５を戻せば操作帯１９ｂがロックされて移動竿はその位置に保持される。このようにして移動竿は伝導軸９の回転と停止により上下移動と停止を行う。該竿操作手段１１ｂの詳細は特願２００４−１６０３６４号明細書等に詳述されているので省略する。又、竿操作手段はここに示すものに特に限定されることなく、公知ないし開示された多くの竿操作手段の中から任意に選択して採用することが出来る。
上部竿１ｂの中ほどの位置に筒体の送りネジ部４０が設けられている。筒体１０ｂの外周の一定長さに刻み目付竿帯３ｂの巻付けピッチに合致したピッチで、且つ、刻み目付竿帯３ｂと同一方向の螺旋状溝の送りオネジ部４１が設けてある。そして、該送りオネジ部４０には上部竿１ｂ側に固定された筒送りナット４２が嵌まっている。そこで、竿帯の巻き込み、巻き戻し時に筒体１０ｂが回転させられる時、該送りネジ部４０により竿帯の巻付けピッチに合った筒体の軸方向送りが行われる。これにより、全ての竿帯３ｂが側方力を生ずることなく筒体への螺旋状の巻き込みと巻き戻しが行われる。
【実施例４】
【００１５】
図１１〜１２は、図１〜６に示す第一の実施例の上部竿と下部の移動竿を逆にして実施した例である。刻み目付竿帯３ｃはその上端を上部竿１ｃ側に結合されており、移動竿２ｃは自らの竿内に設けられた竿移動保持装置６ｃにより上部竿１ｃ側との間の相対的移動と保持がなされる。水平遮蔽羽５ｃの操作は上部竿１ｃに設けた羽操作手段の羽操作棒４３によってなされる。このような実施の方法は、高い位置に比較的短いブラインドを取付けるような場合に有利である。
【図面の簡単な説明】
【００１６】
【図１】実施例を示す水平遮蔽羽ブラインドの正面図である。
【図２】図１における上部周りを横にして示す拡大正面図で、一部を破断して示す図である。
【図３】図２における３部分を拡大して示す拡大図で、縦にして示す図である。
【図４】図３における４−４断面図で、一部を省略して下部の移動竿部分までを示す図である。
【図５】図３における５−５断面図で、一部を省略して下部の移動竿部分までを示す図である。
【図６】図３における６−６矢視図である。
【図７】他の実施例を示す水平遮蔽羽ブラインドの上部周りを横にして示す拡大正面図で、一部を破断して示す図である。
【図８】他の実施例を示す水平遮蔽羽ブラインドの正面図である。
【図９】図８における上部周りを横にして示す拡大正面図で、一部を破断して示す図である。
【図１０】図９における１０−１０断面図である。
【図１１】他の実施例を示す水平遮蔽羽ブラインドの縦断面図で、図４と同じ断面位置における縦断面図である。
【図１２】図１１に示す実施例の縦断面図で、図５と同じ断面位置における縦断面図である。
【符号の説明】
【００１７】
１、１ａ、１ｂ、１ｃ  上部竿
２、２ｂ 、２ｃ  移動竿
３、３ａ、３ｂ、３ｃ  竿帯
４、４ａ、４ｂ、４ｃ  羽保持紐
５、５ａ、５ｂ、５ｃ  水平遮蔽羽
６、６ａ、６ｂ、６ｃ  竿移動保持装置
７、７ａ、７ｂ、７ｃ  ケース
７′、７′ａ、７′ｂ、７′ｃ  操作ケース
８、８ａ、８ｂ  軸移動回転軸受
９  駆動軸
１０、１０ａ、１０ｂ、１０ｃ  筒体
１０′ａ  操作筒体
１１、１１ａ、１１ｂ、１１ｃ  竿操作手段
１２、１２′  刻み目
１３  帯固定輪
１４  竿帯の先端部
１５  キー
１６、１６′、１６′ｃ  背案内面
１７、１７′、１７′ｃ  側案内面
１８、１８′  固定リング
１９、１９ａ、１９ｂ、１９ｃ  操作帯
２０、２０ｃ  戻り止め手段
２１、２１ｂ、２１ｃ  止め片
２２、２２ｃ  案内溝
２３、２３ｃ  案内突部
２４、２４ｃ  後止面
２５、２５ｃ  掛り歯面
２６  操作歯車
２７  支軸
２８  小傘歯車
２９  ボス部
３０  大傘歯車
３１  駆動角孔
３２  従動角孔
３３  保持リング
３４   ブッシュ
３５  引き側
３８  弛み側
４０  送りネジ部
４１  送りオネジ部
４２  筒送りナット
４３  羽操作棒
【図１】
2006009536.tif 000003
【図２】
2006009536.tif 000004
【図３】
2006009536.tif 000005
【図４】
2006009536.tif 000006
【図５】
2006009536.tif 000007
【図６】
2006009536.tif 000008
【図７】
2006009536.tif 000009
【図８】
2006009536.tif 000010
【図９】
2006009536.tif 000011
【図１０】
2006009536.tif 000012
【図１１】
2006009536.tif 000013
【図１２】
2006009536.tif 000014
【手続補正書】
【提出日】平成17年9月21日(2005.9.21)
【手続補正１】
【補正対象書類名】明細書
【補正対象項目名】全文
【補正方法】変更
【補正の内容】
【発明の詳細な説明】
【技術分野】
【０００１】
本発明は、水平遮蔽羽ブラインドの移動竿の竿移動保持装置に関する。特に、上部竿と移動竿間に歯付ベルトのような刻み目付竿帯の竿保持体を備え、その一方の端側を、一方の竿内の水平軸線上で軸方向に移動しながら回転する筒体に螺旋状に巻き付けられて保持され、他方の端側に他方の竿を保持ないし結合し、該刻み目付竿帯の巻き込みと巻き出しにより両竿間の相対移動と保持がなされる竿移動保持装置に関する。
【背景技術】
【０００２】
従来、水平遮蔽羽ブラインドの移動竿は、上部の固定竿内に設けた竿移動装置より垂下された昇降紐や、薄い金属性テープにより上下の調節と保持が行われるものが一般に広く普及している。
【０００３】
米国特許第１,７５６,６８０号には、上部竿内にスラットの保持体である支持コードの巻取り用の筒状の横ローラーを有しているものが示されている。支持コードはブラインドの上げ下しの際に、横ローラーに螺旋状に巻かれたり、巻き戻されたりする。該横ローラーには、別の部位に支持コードと逆巻きに螺旋状に巻かれた操作コードがあり、横ローラーはこの操作コードによって回転し、支持コードを介してスラットを上げ下しするものである。横ローラーはその一方側を支持するネジ軸によってコードの螺旋巻きに応じた横移動をするようになっている。
【特許文献１】米国特許第１,７５６,６８０号明細書。
【特許文献２】特願２００４−１６０３６４号明細書。
【発明の開示】
【発明が解決しようとする課題】
【０００４】
竿保持体及び操作帯として歯付ベルトのような刻み目付帯体を用いた竿移動保持装置や竿操作手段を得ることは出来る。
例えば、竿内の水平軸線上で横に移動しながら回転することの出来る筒体に刻み目付竿帯の上方端側を螺旋状に巻き付けて保持せしめる竿移動保持装置が得られる。
刻み目付帯体が寸法精度が高く、引張りと圧縮に強く、折れ難い歯付ベルトのようなもので造られるから、竿の正確で安定した平行保持がなされる。帯体が正確な幅と一定の厚みを有しており、且つ柔軟性を有するので細い筒体への螺旋状巻きが可能で細い竿寸法が得られる。
しかし、前述の刻み目付竿帯を筒体に螺旋状に巻き付けて保持する竿移動保持装置では、複数の刻み目付竿帯に対応する個々の筒体が、竿内に回転自由に支持された水平軸上に軸方向移動自在に、且つ、軸と同時回転するように回転連結状態に保持され、竿の移動操作や竿保持中における操作手段との回転力の伝達を軸断面が四角の水平軸を介して行われる。
この水平軸を介して筒体に回転力を伝達する場合、その軸方向の移動抵抗は竿重量によるラジアル荷重に基づく筒体と軸との間の摩擦抵抗に加え、筒体を回す、あるいは保持するための回転力（トルク）による筒体と軸との間の摩擦抵抗が加わり、円滑な巻き込み、巻き戻し上好ましくない影響を与える。特に、ボールスプライン等の軽快な軸方向移動手段を用いずに、比較的細い軸上での軽快な巻き込み、巻き戻しには、刻み目付竿帯の側面とケースの側案内面間の面圧力を軽減することが特に望まれる。又、竿帯の巻付け部においては、筒体が正規の中心位置を保って振れることなく円滑に回転することが重要である。そして、装置が充分簡明で堅牢性や耐久性等に優れていることも重要である。
本発明の目的は、前述のような点に鑑み、巻き込み、巻き戻しが無理なく円滑になされ、竿の操作が軽快に出来る刻み目付竿帯を筒体に螺旋状に巻き付けて保持する竿移動保持装置を提供するにある。
本発明の他の目的は、構成簡明にして製作容易な水平遮蔽羽ブラインドの竿移動保持装置を提供しようとするものである。
【課題を解決するための手段】
【０００５】
上記目的を達成するために、本発明は、上部竿と移動竿の間に一組の刻み目付竿帯からなる竿保持体と前記上部竿と移動竿の一方の竿内に軸移動回転軸受により軸方向移動自在且つ回転自在に支持されその一部に竿操作手段が回転連結された水平な筒体と前記一方の竿内の前記一組の刻み目付竿帯の各々に対応する位置の竿側に前記刻み目付竿帯の側面に適合する両側の側案内面を固定に備え、前記一組の刻み目付竿帯の一方の側を各々前記側案内面を通して前記筒体の外周にその表側と裏側のいずれか一方の側の同一の側より螺旋状に巻き付け固定手段により固定して保持すると共に前記一組の刻み目付竿帯の他方の側を他方の竿に結合手段により結合し、前記竿操作手段による前記筒体の回転と停止により前記上部竿と移動竿間の相対移動と保持を行う竿移動保持装置である。
ここに、回転連結とは竿操作手段が直に結合されていることを含め、任意の伝導手段により両者の回転が伝達される状態に連結されていることを云う。
【０００６】
又、上記竿移動保持装置は、筒体を水平な同一太さの一本の筒体とし、一組の刻み目付竿帯の一方の側を前記一本の筒体の外周にその表側と裏側のいずれか一方の側の同一の側より同一方向に螺旋状に巻き付け固定手段により固定して保持するものとすることが出来る。
【０００７】
さらに、上記竿移動保持装置は、内部に一組の刻み目付竿帯を保持する筒体を備える竿の一部に該竿側に固定され前記刻み目付竿帯の側面に適合する両側の側案内面と同じ幅の両側の操作帯側案内面と前記筒体の一部に前記刻み目付竿帯と同じ幅を有しその一方端側を前記操作帯側案内面を通して前記筒体の外周に前記刻み目付竿帯と逆巻きに且つ前記刻み目付竿帯と反対方向へ螺旋状に巻き付けられて固定手段により固定されその他端側を前記筒体の表側より下方に垂下された操作帯とその戻り止め手段を有する竿操作手段を備えるものとすることが出来る。
【０００８】
又、上記竿移動保持装置は、筒体の一部に大径の操作筒部を形成し竿側の該操作筒部に対応する位置に前記各刻み目付竿帯の側面に適合する両側の側案内面と同じ幅の両側の操作帯側案内面を固定に備え、前記各刻み目付竿帯と同じ幅を有しその一方端側を前記操作帯側案内面を通して前記操作筒部の外周に前記各刻み目付竿帯と逆巻きに且つ前記各刻み目付竿帯と反対方向へ螺旋状に巻き付けられて固定手段により固定されその他端側を前記筒体の表側より下方に垂下された操作帯とその戻り止め手段を有する竿操作手段を備えるものとすることが出来る。
【０００９】
さらに、上記竿操作手段は、筒体下部の刻み目付操作帯の内側の空間内で案内手段に案内されて前後に運動しその前面側に前記刻み目付操作帯に噛み合う掛り歯面を有する止め片と、前記刻み目付操作帯の外側の竿側に形成された縦の平坦な背案内面を有し他方側の竿重量により前記止め片と前記背案内面の間で前記刻み目付操作帯をロックする戻り止め手段を備えるものとすることが出来る。
【発明の効果】
【００１０】
本発明によれば、前述したように、帯体が寸法精度が高く、引張りと圧縮に強く、折れ難い歯付ベルトのようなもので造られるから、竿の正確で安定した平行保持がなされる。
帯体が正確な幅と一定の厚みを有しており、且つ柔軟性を有するので細い筒体への螺旋状巻きが出来、細い竿寸法が可能である。
又、一本の充分太い筒体が竿帯の巻付け部位近くを円筒形の軸移動回転軸受で支持され、ブラインド面内の全ての刻み目付竿帯の一方端側がこの一本の筒体に同一方向に螺旋状に巻き付けて保持されるようにすれば、軸方向、回転方向ともに動きが正確で滑らかである。巻き込み、巻き戻しの際、筒体には各竿帯より同一方向の側方移動力がもたらされ、各竿帯への側方力の平均化が図られる。そして、巻き込み、巻き戻しの際に、筒体とその軸移動回転軸受との間に生じる摩擦抵抗力以外には、ケースの側案内面と刻み目付竿帯（操作帯）の側面との間にさらなる側方力を生起させるものがない。従って、ケースの側案内面への側方力は最小限に抑えられる。さらに、同じ筒体に同じ幅の操作帯を刻み目付竿帯と逆巻きに、且つ、刻み目付竿帯と反対方向へ螺旋状に巻き付けた竿操作手段を設けることにより、筒体には操作帯による竿帯と同一方向の側方移動力が加わるので、各側案内面の分担する側方力の低減と平均化が図られる。又、全ての竿帯を一本の筒体に同じように巻付けて保持せしめるので、筒体の中心部を駆動軸により回転せしめる場合でも、筒体上の任意の一個所に竿帯の巻付けピッチに合致した送りネジ部を設け、竿帯の巻き込み、巻き戻し時の筒体の軸方向移動を該送りネジ部により行うようにすれば、構造全体を複雑化させることなく、全ての竿帯に側方力を生じさせないようにすることが可能になる。このように本発明は竿帯の巻き込み、巻き戻しが円滑になされ、竿の移動操作が軽快に出来る水平遮蔽羽ブラインドの竿移動保持装置を提供する。又、構成簡明にして製作容易な水平遮蔽羽ブラインドの竿移動保持装置を提供することが出来る。
【発明を実施するための最良の形態】
【００１１】
竿の移動操作を円滑且つ軽快にする目的を、竿側に固定された一組の軸移動回転軸受に軸方向移動自在、且つ、回転自在に支持されその一部に竿操作手段が回転連結された他一本の水平な筒体を設け、該筒体に相手側の竿に結合された全ての竿帯の一方端を同一方向に螺旋状に巻き付けて保持せしめたことにより達成された。
【実施例１】
【００１２】
図１〜６に示される水平遮蔽羽のブラインドは、窓の上部に固定された上部竿１の下に、移動竿２が上部竿１から垂下されている２本の竿帯３により所望の間隔で保持されている。上部竿１からは移動竿２に羽操作手段の各保持リング３３から羽保持紐４が垂下されており、該羽保持紐４に水平遮蔽羽５が保持され遮蔽調節面Ａが形成されている。竿帯３は水平遮蔽羽５の帯孔を通って移動竿に至っている。上部竿１内の竿帯３の巻付け部位に固定された左右のケース７に軸移動回転軸受８が設けてあり、該軸移動回転軸受８に一本の水平な筒体１０が軸方向移動自在、且つ、回転自在に支持されている。軸移動回転軸受の位置は特に限定されないが、筒体の中心のズレと回転振れを少なくするために、なるべくは竿帯の巻付け部位の近くが望ましい。筒体１０上には戻り止め手段を含む竿操作手段１１が設けてある。水平遮蔽羽５の帯孔を貫通する２本の竿帯３は歯付ベルトで、その刻み目はブラインドの表方を向いている。その下端側は移動竿２に各々結合されており、その上方側は各々筒体１０の対応する位置に巻き掛けられている。ここで、各竿帯３は筒体１０の右方から左方へ右巻きに螺旋状に巻かれて筒体の裏側より移動竿２へ垂下されており、移動竿２を平行に保持している。竿操作手段１１の操作により筒体１０が回転することにより、各竿帯３は螺旋状に巻き込まれたり、巻き戻されたりして移動竿２を上下に移動させる。各竿帯３が巻き込まれる時、筒体は右方へ移動し、巻き戻される時、筒体は左方へ移動する。このようにこの竿移動保持装置６が構成されている。
図３、図６に竿帯３の端を筒体へ結合する結合手段部分が示されている。ここで、筒体１０の竿帯巻付けの前方側（右方側）の外周に、竿帯３の刻み目に合致した刻み目で、竿帯３の巻付けリード角に合致した傾き角度のハスバ歯の刻み目１２が形成されている。ここでは、筒体１０の対応する部分に形成された輪状の窪み部分に、２分割された帯固定輪１３が、各々窪み部分に埋め込まれた二つの廻り止めキー１５を抱くようにして固定に嵌まっている。該帯固定輪１３は、その外周に前記同様のハスバ歯を有する歯車で、歯は筒体の外周より歯丈の高さ分だけ突出しており、その外径は筒体の外径より周りの歯丈の高さ分だけ大きくなっている。竿帯３の先端部１４は、該帯固定輪１３の外周の歯部に噛み合わされて、巻付けの後方側（左方側）の外周へ滑らかに巻き付けられている。この竿帯の先端部１４の噛み合せ部分の外周には、該先端部１４を帯固定輪１３の周りに確りと固定する固定リング１８が嵌められている。この結合手段のハスバ歯の刻み目１２は、ここに示す例以外に、既存の技術により筒体の同じ部分に自由に形成することが出来る。金属板に成型加工したものを埋め込むとか、筒体の外周の一部を隆起させて形成する等任意である。
竿帯３の巻付け位置に竿側に固定された左右のケース７には、筒体１０を支持する軸移動回転軸受８のほかに、竿帯３の側面を案内する両側の側案内面１７と、竿帯の背面を案内する背案内面１６が設けてある。ここで、側案内面１７と背案内面１６は竿帯３の側面と背面を案内して竿帯３が螺旋状にきっちりと巻き込まれ、あるいは、巻き戻されるのを助ける。左右の竿帯３は、共に同じ方向の螺旋状に巻かれており、筒体１０を軸方向に移動させる移動力は同じ方向に生じ、各々の側案内面１７に配分されて負担される。従って、竿帯の数が増えれば、それだけ各側案内面の負担する力は軽減される。
竿操作手段１１が右側の竿帯３の巻付け部の内側に設けられている。筒体１０には一本の操作帯１９が筒体１０の左方から右方へ左巻きに螺旋状に巻かれており、操作ケース７′部分で筒体の表側より下へ垂下されている。該操作帯１９は、竿帯３と同じ刻み目を有する同じ幅の歯付ベルトである。そして、竿帯３と同じようにしてその先端部が筒体１０の外周に結合され、その巻付けの後方側（右方側）の外周へ滑らかに巻き付けられている。操作帯１９の先端部と筒体側の刻み目１２′との噛合わせ部分の外周には、竿帯３と同様の固定リング１８′が嵌められて確りと固定されている。筒体１０の表側より長く垂下される操作帯の下端部２０は、移動竿２の裏側に結合されている。
操作帯１９の巻付け部位に固定される操作ケース７′は両側の側案内面１７′と背案内面１６′を有し、操作帯１９も竿帯３と同じようにして案内される。そして、筒体１０には操作帯１９の巻き込み、巻き戻し時に各竿帯３と同一方向の側方移動力を生ずる。従って、各側案内面の負担する側方力はその分だけ軽減され、平均化される。
図で明らかなように、移動竿２が降下して竿帯３が一杯に巻き戻されている時、操作帯１９は一杯に巻き込まれている。そして、竿帯３が一杯に巻き込まれて移動竿２が一杯に上昇する時、操作帯１９は一杯に巻き戻される。
操作ケース７′の操作帯１９の内側で、筒体１０の下部と竿の底壁間に形成された空間に戻り止め手段２０の止め片２１が設けてある。両側の側案内面１７′に筒体の外周曲面に略倣って前後方向にキー溝状の案内溝２２が設けてある。止め片２１は操作帯１９と略同じ幅を有し、その両側面に案内溝２２に嵌まるキー状の案内突部２３を備えている。そこで、止め片２１は、案内溝２２に案内されて、背案内面１６′と後止面２４の間を筒体１０の外周曲面に沿って前後に揺動運動することが出来る。止め片２１はその上部が筒体１０の外周に沿った曲面をなし、その下部は平坦な面に造られ、その前面部には操作帯１９の刻み目に噛合う掛り歯面２５を有している。背案内面１６′は、ここでは前方へ傾斜して下った平坦な面になっている。止め片２１の前後運動を案内する案内手段は、この他の任意の手段によることが出来る。
図５に示すように、操作帯１９を傾け角度Ａ°より大きく表方へ傾けて下へ引くことにより、止め片２１は仮想線で示されるように後止面２４まで後退し、操作帯１９の刻み目からその掛り歯面２５が外れて、自らの重量でその位置に止まる。そこで、この傾き角度を保って操作帯１９を引き、あるいは戻しすることで移動竿２を上下に移動させることが出来る。そして、操作帯１９を傾け角度Ａ°より内側にして竿重量による引き力について上へ戻せば、操作帯１９は、その内側の刻み目が止め片２１の掛り歯面２５に噛合って止め片２１を上方へ引き上げ、該止め片２１と背案内面１６′との間に自ら挟まれてロックされる。ここに示す竿操作手段１１は、操作帯１９のみで全ての操作が行える最も簡明な竿操作手段である。
【実施例２】
【００１３】
図７は他の実施例である。以後の実施例の説明において、前述の例と同一部分には同一の符号にａ、ｂ、ｃの添字を付して示し、その詳しい説明を省略して主に異なる部分について説明する。ここで前述の実施例と異なる部分は、竿操作手段１１ａの操作帯１９ａの巻かれる操作筒体１０′ａ部分の直径が各竿帯３ａの巻かれる筒体１０ａ部分の直径より太くなっていることである。このようにすることで、操作帯１９ａを操作する力を軽減することが出来る。又、移動竿を引上げた時の操作帯１９ａの垂下長さを適当に長く調節出来ることである。
【実施例３】
【００１４】
図８〜１０は他の実施例である。上部竿１ｂ内の竿帯３ｂの巻付け部位に固定された左右のケース７ｂに軸移動回転軸受８ｂが設けられており、一本の筒体１０ｂは該軸移動回転軸受８ｂに軸方向移動自在、且つ、回転自在に支持されている。ここで、各竿帯３ｂの刻み目はブラインドの裏方側を向いており、筒体１０ｂの右方から左方へ左巻きに螺旋状に巻かれて筒体の表側より移動竿２ｂへ垂下されている。
筒体１０ｂの右側の上部竿１ｂ内に戻り止め手段を含む竿操作手段１１ｂが設けてある。
該竿操作手段１１ｂはその操作歯車２６が上部竿の表側の面に筒体１０ｂに対して直角の向きに取付けられている。上部竿１ｂの右端部に固定された操作ケース７′ｂに伝導軸９と直角方向に円筒形の支軸２７を備える操作歯車２６が回転自由に嵌まっている。該操作歯車２６には支軸２７の後ろ側に小傘歯車２８が一体に形成されている。操作ケース７′ｂの右側の端部にはそのボス部２９を回転自由に支持される大傘歯車３０が嵌まっており、小傘歯車２８と噛合わされている。大傘歯車３０と筒体１０ｂは四角形軸断面の伝導軸９により回転が連結されている。即ち、筒体１０ｂの右側中心部に伝導軸９に嵌まる四角形の従動角孔３２が設けてある。一方、大傘歯車３０の中心部にも同じ四角形の駆動角孔３１が設けられている。伝導軸９はその右側を大傘歯車３０の駆動角孔３１側に保持されて、その左側が筒体の従動角孔３２内に軸方向に滑動自在に挿入されている。そこで、大傘歯車３０の回転は伝導軸９を介して軸方向に移動する筒体１０ｂに伝達される。伝導軸９に嵌まるブッシュ３４は操作ケース７′ｂ内で伝導軸９を回転自由に支持する。
そこで、操作帯１９ｂの引き側３５を矢印３６のように下方に引くと、止め片２１ｂは操作帯１９ｂより外れて後退し、操作歯車２６と小傘歯車２８は矢印の方向に回転して大傘歯車３０と伝導軸９を矢印の方向に回す。筒体１０ｂは伝導軸９と共に回り竿帯３ｂを矢印３７のように巻き上げてその下部に結合された移動竿を上昇せしめる。操作帯の弛み側３８を矢印３９のように下方に引き、引き側３５を戻せば操作帯１９ｂがロックされて移動竿はその位置に保持される。このようにして移動竿は伝導軸９の回転と停止により上下移動と停止を行う。該竿操作手段１１ｂの詳細は特願２００４−１６０３６４号明細書等に詳述されているので省略する。又、竿操作手段はここに示すものに特に限定されることなく、公知ないし開示された多くの竿操作手段の中から任意に選択して採用することが出来る。
上部竿１ｂの中ほどの位置に筒体の送りネジ部４０が設けられている。筒体１０ｂの外周の一定長さに刻み目付竿帯３ｂの巻付けピッチに合致したピッチで、且つ、刻み目付竿帯３ｂと同一方向の螺旋状溝の送りオネジ部４１が設けてある。そして、該送りオネジ部４１には上部竿１ｂ側に固定された筒送りナット４２が嵌まっている。そこで、竿帯の巻き込み、巻き戻し時に筒体１０ｂが回転させられる時、該送りネジ部４０により竿帯の巻付けピッチに合った筒体の軸方向送りが行われる。これにより、全ての竿帯３ｂが側方力を生ずることなく筒体への螺旋状の巻き込みと巻き戻しが行われる。
【実施例４】
【００１５】
図１１〜１２は、図１〜６に示す第一の実施例の上部竿と下部の移動竿を逆にして実施した例である。刻み目付竿帯３ｃはその上端を上部竿１ｃ側に結合されており、移動竿２ｃは自らの竿内に設けられた竿移動保持装置６ｃにより上部竿１ｃ側との間の相対的移動と保持がなされる。水平遮蔽羽５ｃの操作は上部竿１ｃに設けた羽操作手段の羽操作棒４３によってなされる。このような実施の方法は、高い位置に比較的短いブラインドを取付けるような場合に有利である。
【図面の簡単な説明】
【００１６】
【図１】実施例を示す水平遮蔽羽ブラインドの正面図である。
【図２】図１における上部周りを横にして示す拡大正面図で、一部を破断して示す図である。
【図３】図２における３部分を拡大して示す拡大図で、縦にして示す図である。
【図４】図３における４−４断面図で、一部を省略して下部の移動竿部分までを示す図である。
【図５】図３における５−５断面図で、一部を省略して下部の移動竿部分までを示す図である。
【図６】図３における６−６矢視図である。
【図７】他の実施例を示す水平遮蔽羽ブラインドの上部周りを横にして示す拡大正面図で、一部を破断して示す図である。
【図８】他の実施例を示す水平遮蔽羽ブラインドの正面図である。
【図９】図８における上部周りを横にして示す拡大正面図で、一部を破断して示す図である。
【図１０】図９における１０−１０断面図である。
【図１１】他の実施例を示す水平遮蔽羽ブラインドの縦断面図で、図４と同じ断面位置における縦断面図である。
【図１２】図１１に示す実施例の縦断面図で、図５と同じ断面位置における縦断面図である。
【符号の説明】
【００１７】
１、１ａ、１ｂ、１ｃ  上部竿
２、２ｂ 、２ｃ  移動竿
３、３ａ、３ｂ、３ｃ  竿帯
４、４ａ、４ｂ、４ｃ  羽保持紐
５、５ａ、５ｂ、５ｃ  水平遮蔽羽
６、６ａ、６ｂ、６ｃ  竿移動保持装置
７、７ａ、７ｂ、７ｃ  ケース
７′、７′ａ、７′ｂ、７′ｃ  操作ケース
８、８ａ、８ｂ  軸移動回転軸受
９  駆動軸
１０、１０ａ、１０ｂ、１０ｃ  筒体
１０′ａ  操作筒体
１１、１１ａ、１１ｂ、１１ｃ  竿操作手段
１２、１２′  刻み目
１３  帯固定輪
１４  竿帯の先端部
１５  キー
１６、１６′、１６′ｃ  背案内面
１７、１７′、１７′ｃ  側案内面
１８、１８′  固定リング
１９、１９ａ、１９ｂ、１９ｃ  操作帯
２０、２０ｃ  戻り止め手段
２１、２１ｂ、２１ｃ  止め片
２２、２２ｃ  案内溝
２３、２３ｃ  案内突部
２４、２４ｃ  後止面
２５、２５ｃ  掛り歯面
２６  操作歯車
２７  支軸
２８  小傘歯車
２９  ボス部
３０  大傘歯車
３１  駆動角孔
３２  従動角孔
３３  保持リング
３４  ブッシュ
３５  引き側
３８  弛み側
４０  送りネジ部
４１  送りオネジ部
４２  筒送りナット
４３  羽操作棒
【手続補正書】
【提出日】平成17年9月21日(2005.9.21)
【手続補正１】
【補正対象書類名】特許請求の範囲
【補正対象項目名】全文
【補正方法】変更
【補正の内容】
【特許請求の範囲】
【請求項１】
上部竿と移動竿の間に一組の刻み目付竿帯からなる竿保持体と前記上部竿と移動竿の一方の竿内に軸移動回転軸受により軸方向移動自在且つ回転自在に支持されその一部に竿操作手段が回転連結された水平な筒体と前記一方の竿内の前記一組の刻み目付竿帯の各々に対応する位置の竿側に前記刻み目付竿帯の側面に適合する両側の側案内面を固定に備え、前記一組の刻み目付竿帯の一方の側を各々前記側案内面を通して前記筒体の外周にその表側と裏側のいずれか一方の側の同一の側より螺旋状に巻き付け固定手段により固定して保持すると共に前記一組の刻み目付竿帯の他方の側を他方の竿に結合手段により結合し、前記竿操作手段による前記筒体の回転と停止により前記上部竿と移動竿間の相対移動と保持を行うことを特徴とする水平遮蔽羽ブラインドの竿移動保持装置。
【請求項２】
上部竿と移動竿の間に一組の刻み目付竿帯からなる竿保持体と前記上部竿と移動竿の一方の竿内に軸移動回転軸受により軸方向移動自在且つ回転自在に支持されその一部に竿操作手段が回転連結された水平な同一太さの一本の筒体と前記一方の竿内の前記一組の刻み目付竿帯の各々に対応する位置の竿側に前記刻み目付竿帯の側面に適合する両側の側案内面を固定に備え、前記一組の刻み目付竿帯の一方の側を各々前記側案内面を通して前記筒体の外周にその表側と裏側のいずれか一方の側の同一の側より同一方向に螺旋状に巻き付け固定手段により固定して保持すると共に前記一組の刻み目付竿帯の他方の側を他方の竿に各々結合手段により結合し、前記竿操作手段による前記筒体の回転と停止により前記上部竿と移動竿間の相対移動と保持を行うことを特徴とする水平遮蔽羽ブラインドの竿移動保持装置。
【請求項３】
内部に一組の刻み目付竿帯を保持する筒体を備える竿の一部に該竿側に固定され前記刻み目付竿帯の側面に適合する両側の側案内面と同じ幅の両側の操作帯側案内面と前記筒体の一部に前記刻み目付竿帯と同じ幅を有しその一方端側を前記操作帯側案内面を通して前記筒体の外周に前記刻み目付竿帯と逆巻きに且つ前記刻み目付竿帯と反対方向へ螺旋状に巻き付けられて固定手段により固定されその他端側を前記筒体の表側より下方に垂下された操作帯とその戻り止め手段を有する竿操作手段を備えることを特徴とする請求項２記載の水平遮蔽羽ブラインドの竿移動保持装置。
【請求項４】
一組の刻み目付竿帯を保持する筒体の一部に大径の操作筒部を形成し竿側の該操作筒部に対応する位置に前記各刻み目付竿帯の側面に適合する両側の側案内面と同じ幅の両側の操作帯側案内面を固定に備え、前記各刻み目付竿帯と同じ幅を有しその一方端側を前記操作帯側案内面を通して前記操作筒部の外周に前記各刻み目付竿帯と逆巻きに且つ前記各刻み目付竿帯と反対方向へ螺旋状に巻き付けられて固定手段により固定されその他端側を前記操作筒体の表側より下方に垂下された操作帯とその戻り止め手段を有する竿操作手段を備えることを特徴とする請求項２記載の水平遮蔽羽ブラインドの竿移動保持装置。
【請求項５】
筒体下部の刻み目付操作帯の内側の空間内で案内手段に案内されて前後に運動しその前面側に前記刻み目付操作帯に噛み合う掛り歯面を有する止め片と、前記刻み目付操作帯の外側の竿側に形成された縦の平坦な背案内面を有し他方側の竿重量により前記止め片と前記背案内面の間で前記刻み目付操作帯をロックする戻り止め手段を備えることを特徴とする請求項３及び４記載の水平遮蔽羽ブラインドの竿移動保持装置。